(57)【要約】【課題】単純な構成及び少ない部品で、周辺機器に影響を及ぼす可能性がある電源雑音を効果的に低減する。【解決手段】交流電源信号が供給される一対の電源端子３と、アース端子４とを有するインレット本体２と、インレット本体２をカバーすると共に、インレット本体を所定の機器の筐体に取り付ける導電性固定部材５と、導電性固定部材５とアース端子とを電気的に接続するフェライトコア接続部材７とを備えるので極めて単純な構成及び少ない部品で、周辺機器に影響を及ぼす可能性がある電源雑音を効果的に低減することができる。【選択図】　図１
2004095302.tif 000002
【特許請求の範囲】
【請求項１】
交流電源信号が供給される一対の電源端子と、アース端子とを有するインレット本体と、
上記インレット本体をカバーすると共に、該インレット本体を所定の機器の筐体に取り付ける導電性固定部材と、
上記導電性固定部材と上記アース端子とを電気的に接続するフェライトコア接続部材と
を備えるインレット装置。
【請求項２】
交流電源信号が供給される一対の電源端子と、アース端子とを有するインレット本体と、
上記インレット本体をカバーすると共に、該インレット本体を所定の機器の筐体に取り付ける導電性固定部材と、
上記機器の筐体と上記アース端子とを電気的に接続するフェライトコア接続部材と
を備えるインレット装置。
【発明の詳細な説明】
【０００１】
【発明の属する技術分野】
本発明は、アース端子と一対の電源端子とを有し、電気機器又は電子機器類の筐体に取り付けられるインレット装置に関し、特に、アース端子と固定部材の接続に特徴を有するインレット装置に関する。
【０００２】
【従来の技術】
電気機器又は電子機器の筐体に取り付けられるインレット装置の一例を図３及び図４に示す。インレット装置１０は、前端部にフランジ部１２が設けられ、且つ、一対の電源端子２１、２２とアース端子２３とが底部に固定された合成樹脂製の有底角筒状とされたインレット本体１１を有し、インレット本体１１の孔部を電気機器類のケース１の内側に挿入して、フランジ部１２の突出取付部１３、１４をビス１９で導電性金属板からなるケース１５の側壁１６に固定するようになっている。
【０００３】
上記一対の電源端子２１、２２と、アース端子２３とは、それぞれ所定の間隔をあけて、その前端側がインレット本体１１内に突出配置されるとともに、その後端部がインレット本体１１の後方側に突出せしめられている。
【０００４】
そして、一対の電源端子２１、２２及びアース端子２３の後端部には、それぞれ、ワイヤ４１、４２、４３の先端部がハンダ４５により固定されて接続され、また、一対の電源端子２１、２２に接続されたワイヤ４１、４２の後端部がケース１５内に配設されたプリント配線基板１７にはんだ付けされて接続され、かつ、アース端子２３に接続されたワイヤ４３の後端部がケース１５の底壁１８に突設された立上部４０にネジ４６により固定されて接続されている。
【０００５】
したがって、当該インレット装置１０が用いられた電気機器類のＧＮＤ態様は、アース端子２３によりワイヤ４３を経てケース１５に至る経路をとることになる。
【０００６】
【発明が解決しようとする課題】
上述のようなインレット装置１０を採用した機器においては、電源ラインを介して外来サージやインパルス雑音が侵入したり、逆に機器から電源ラインを介して伝導雑音が漏出したりすることがある。機器から漏出した雑音は、電源ケーブルのアース線に侵入し、電源ケーブルがアンテナの役目を果たして、この雑音を放射し、周辺機器の動作に影響を及ぼすことが問題となっている。
【０００７】
これらの電源雑音を低減又は除去するために、インレット装置にチョークコイルやコンデンサを用いた雑音フィルタを組み込む手法も知られている。しかし、このような雑音フィルタを採用することにより、インレット装置における部品点数が増加し、製造工程も複雑となるため、インレット装置の製造コストが著しく高くなるという問題があった。
【０００８】
本発明は、上述のような課題に鑑みてなされたものであり、少ない部品及び単純な構造で、周辺の機器に悪影響を及ぼす可能性がある電源雑音を低減できるインレット装置を提供することを目的とする。
【０００９】
【課題を解決するための手段】
上述の目的を達成するために、本発明に係るインレット装置は、交流電源信号が供給される一対の電源端子と、アース端子とを有するインレット本体と、上記インレット本体をカバーすると共に、該インレット本体を所定の機器の筐体に取り付ける導電性固定部材と、上記導電性固定部材と上記アース端子とを電気的に接続するフェライトコア接続部材とを備える。
【００１０】
本発明に係るインレット装置によれば、アース端子と導電性固定部材との間に設けられたフェライトコア接続部材がアースラインにおける誘導性素子として機能し、高周波の交流信号を抑制するので、極めて単純な構造で電源雑音が効果的に低減される。
【００１１】
また、上述の目的を達成するために、本発明に係るインレット装置は、交流電源信号が供給される一対の電源端子と、アース端子とを有するインレット本体と、上記インレット本体をカバーすると共に、該インレット本体を所定の機器の筐体に取り付ける導電性固定部材と、上記機器の筐体と上記アース端子とを電気的に接続するフェライトコア接続部材とを備える。
【００１２】
本発明に係るインレット装置によれば、アース端子と機器の筐体との間に設けられたフェライトコア接続部材がアースラインにおける誘導性素子として機能し、高周波の交流信号を抑制するので、極めて単純な構造で電源雑音が効果的に低減される。
【００１３】
【発明の実施の形態】
以下、本発明に係るインレット装置について、添付の図面を参照して詳細に説明する。
【００１４】
図１は、本発明を適用したインレット装置１を機器の筐体内部側から見た斜視図である。機器の筐体外部から見たインレット装置１は、従来のインレット装置と同様であるため、ここでは、筐体内部側からの図のみを示す。インレット装置１は、電源ケーブル９が挿入されるインレット本体２を備え、インレット本体２には、電源ケーブル９を介して交流電源信号が供給される一対の電源端子３と、アース端子４とを備える。
【００１５】
インレット本体２は、導電性を有する金属製の固定部材５により、機器の筐体に取り付けられる。固定部材５は、インレット本体２のケーブル挿入孔及び端子面６を露出させてインレット本体２を収納するとともに、固定部材５の一部は、端子面６の一辺から、端子面６と直角を形成するように延出するように形成されている。この固定部材５の延出部分５ａは、フェライトコア部材７を介して、インレット本体２のアース端子４に電気的に接続されている。なお、フェライトコア部材７は、固定ネジ８により、アース端子４に固定されている。
【００１６】
このような構成を有するインレット装置１は、交流電源により動作する電気機器又は電子機器の筐体に取り付けられる。インレット装置１のケーブル挿入孔には、交流電源に接続された電源ケーブル９のコネクタ９ａが挿入され、インレット装置１の一対の電源端子３及びアース端子４は、それぞれ電源ケーブル９の電源線及びアース線に接続される。
【００１７】
インレット本体２に設けられている一対の電源端子３は、Ｌ字状の形状に形成されており、インレット本体２の端子面６から延出するとともに、先端部は、下方に臨んでいる。この電源端子３は、機器内に配設された所定の基板（図示せず）の所定の端子に電気的に接続され、これにより、機器を駆動するための電力が供給される。一方、上述のように、アース端子４は、フェライトコア部材７を介して、固定部材５に電気的に接続されており、さらに、固定部材５は、機器の筐体に連結され、これにより、アース端子４の接地が実現されている。
【００１８】
ここで、このインレット装置１の等価回路を図２に示す。図２に示すように、フェライトコア部材７は、誘導性素子として機能し、すなわち、アース線に直列に接続された誘導性コイルと同様の役割を果たす。周知の通り、誘導性素子は、直流電流に対しては、抵抗として機能せず、交流電流に対しては、周波数に応じた抵抗（リアクタンス）を示す。
【００１９】
ここで、インレット装置１が装着された電子機器の回路において、回路動作に伴い、一定の周波数の交流信号が発生することがある。この交流信号は、アースラインを介して、電源ケーブル９に流れ込み、電源ケーブル９がアンテナの役割を果たして、この周波数を有する雑音を外部に放射し、周辺機器の動作に影響を与えることがあった。そこで、この具体例のように、インレット装置１において、アース端子４と、固定部材５とをフェライトコア部材７を介して電気的に接続することにより、交流雑音のレベルが低減される。なお、上述のように、フェライトコア部材７は、直流電流に対しては、抵抗を有さないので、固定部材５に連結された電子機器の筐体、アース端子４及び電源ケーブル９のアース線は、全て接地電位に保たれる。
【００２０】
このように、本発明によれば、アース端子４にフェライトコア部材７を固定ネジ８で固定し、フェライトコア部材７と固定部材５とを接続するという、極めて単純な構造により、電源雑音を効果的に低減することができる。
【００２１】
なお、本具体例は、例示的なものに過ぎず、添付の図面に示し、上述した形態は、本発明を限定するものではない。各端子の形状や固定部材とアース端子の相対的位置関係は、いかなるものであってもよい。本発明の主眼は、インレット装置におけるアース端子と、固定部材若しくは電子機器の筐体との間の接続の少なくとも一部をフェライトコアにより実現する点にあり、かかる構造を有し、上述と同様の効果を奏するインレット装置の形態は、全て、本発明の技術的範囲内にある。したがって、上述の具体例では、アース端子と金属製固定部材との間にフェライトコア部材を設けているが、アース端子と機器の筐体とをフェライトコア部材を介して直接接続してもよい。
【００２２】
【発明の効果】
本発明に係るインレット装置は、交流電源信号が供給される一対の電源端子と、アース端子とを有するインレット本体と、上記インレット本体をカバーすると共に、該インレット本体を所定の機器の筐体に取り付ける導電性固定部材と、上記導電性固定部材と上記アース端子とを電気的に接続するフェライトコア接続部材とを備えるので、極めて単純な構成及び少ない部品で、周辺機器に影響を及ぼす可能性がある電源雑音を効果的に低減することができる。
【図面の簡単な説明】
【図１】本発明を適用したインレット装置の斜視図である。
【図２】図１に示すインレット装置の等価回路である。
【図３】従来のインレット装置を後部側から見た斜視図である。
【図４】従来のインレット装置を全部側から見た斜視図である。
【符号の説明】
１　　　　インレット装置
２　　　　インレット本体
３　　　　電源端子
４　　　　アース端子
５　　　　固定部材
６　　　　端子面
７　　　　フェライトコア部材
８　　　　固定ネジ
９　　　　電源ケーブル
【図１】
2004095302.tif 000003
【図２】
2004095302.tif 000004
【図３】
2004095302.tif 000005
【図４】
2004095302.tif 000006